(57)【要約】      （修正有）【課題】あたかも実際のろうそくの炎を用いたような外観を得ることができ、しかも電気を使用しながらその配線が目につかない灯明を提供する。【解決手段】上部吊り具４および下部吊り皿部２を一方側に突出した保持部材３で結合した灯明本体と、前記下部吊り皿部中に設けられた疑似ろうそく７を含み、前記疑似ろうそくは、ろうそくを摸した本体筒７ｂ、本体筒７ｂの上部に設けた炎型の片７ａ並びに本体筒中に設けた光源及び揺動装置で形成され、前記保持部材の外側端面及び前記上部吊り具の対応する側面には連続して縦方向に配線溝が設けられ、上記各配線溝中に電気配線が埋め込まれることを特徴とする安全灯明。【選択図】図１
0003191225.tif 000002
【実用新案登録請求の範囲】
【請求項１】
上部吊り具および下部吊り皿部を一方側に突出した保持部材で結合した灯明本体と、前記下部吊り皿部中に設けられた疑似ろうそくを含み、前記疑似ろうそくは、ろうそくを摸した本体筒、本体筒の上部に設けた炎型の片並びに本体筒中に設けた光源及び揺動装置で形成され、前記保持部材の外側端面及び前記上部吊り具の対応する側面には連続して縦方向に配線溝が設けられ、上記各配線溝中に電気配線が埋め込まれることを特徴とする安全灯明。
【請求項２】
保持部材の形状がＣ字型または「コ」の字型である請求項１記載の安全灯明。
【請求項３】
保持部材の断面形状が長方形、台形または先端が丸い台形である請求項１記載の安全灯明。
【請求項４】
上部吊り具と保持部材の結合が、上部吊り部材の下端近傍に設けられた挟み込み部に保持部材の一端を差し込み、その下に設けられたねじ部を内面にねじが設けられた止め具で締め付けることにより行われる請求項１ないし３の何れかの項記載の安全灯明。
【請求項５】
保持部材の外側端部に設けられた配線溝と、上部吊り部材の挟み込み部の切り欠き方向に沿って、軸方向、上に伸びる配線溝とで、連続した配線溝を形成する請求項１ないし４の何れかの項記載の安全灯明。
【考案の詳細な説明】
【技術分野】
【０００１】
本考案は、電気を利用する安全な灯明に関し、更に詳細には、仏壇、納骨堂等に設置した場合に、ろうそくや炎に対応する部分が空間に浮き上がって見え、しかも実際の炎が燃えているかのように見える安全灯明に関する。
【背景技術】
【０００２】
従来から、仏壇や、納骨堂においては、一対の灯明を設け、祈りを捧げるときに火をともすことが良く行われている。この灯明の明かりは、ろうそくを用いることが多いが、不注意によりこの火を消し忘れると火災の原因になることも知られている。
【０００３】
このようなことから、例えば老人施設では、仏壇の持ち込みは認めても、ろうそくの使用は禁止することも多く、また、家庭でもろうそくの使用には細心の注意が必要である。
【０００４】
最近では、灯明の明かりとして、ろうそくに代えて先の尖った電球を使用することが良く行われているが、このようなものは、形はそれなりではあるが、ろうそくの火特有の揺らぎなどは表現できず、人工物との感が否めない。
【０００５】
更に、実際の炎を用いずに、ろうそくの炎と同様な明るさを得るには、電気の使用が必須であるが、灯明からの配線が見えると、灯明を設ける仏壇や、納骨堂内の荘厳さを損ねるといった外観的な問題もある。
【考案の概要】
【考案が解決しようとする課題】
【０００６】
本考案は、上記実情に鑑みなされたものであり、あたかも実際のろうそくの炎を用いたような外観を得ることができ、しかも電気を使用しながらその配線が目につかない灯明の提供をその課題とするものである。
【課題を解決するための手段】
【０００７】
本考案者らは、仏壇や納骨堂等に使用される灯明について研究した結果、ろうそく外観に類似した本体筒の上部に炎型の片を有し、本体筒中に設けた光源と揺動装置により、炎片を揺動しつつ光を当てる疑似ろうそくを用いれば、あたかも実際の炎を用いてるかの如き外観が得らえることを知った。そして更に、灯明を構成する上部吊り具および下部吊り皿部を一方側にのみ突出した形状の保持部材で結合し、これら部材中に配線が隠れるようにし、その下部吊り皿中に上記構成の疑似ろうそくを設置した灯明は、灯明中で実際に炎が燃えているように見え、かつ、保持部材の突出側が後側となるように配置すれば、仏壇等の中であたかもろうそくを置いた下部吊り皿が浮いているように見えることを見出し、本発明を完成した。
【０００８】
すなわち本考案は、上部吊り具および下部吊り皿部を一方側に突出した保持部材で結合した灯明本体と、前記下部吊り皿部中に設けられた疑似ろうそくを含み、前記疑似ろうそくは、ろうそくを摸した本体筒、本体筒の上部に設けた炎型の片並びに本体筒中に設けた光源及び揺動装置で形成され、前記保持部材の外側端面及び前記上部吊り具の対応する側面には連続して縦方向に配線溝が設けられ、上記各配線溝中に電気配線が埋め込まれることを特徴とする安全灯明である。
【考案の効果】
【０００９】
本考案の安全灯明は、ろうそくを摸した本体筒中に設けた炎揺動装置により炎片を揺動しつつ光源から光を当てる疑似ろうそくを用いるので、炎の自然な揺らぎが得られ、あたかも実際の炎を用いてるかの如き外観を得ることができる。従って、電球を用いた場合に比べ、自然な炎に近い外観となり、しかも火災等の心配のないものである。
【００１０】
また、保持部材の突出部を背面側とすることで、これが正面からは見にくくなり、あたかも疑似ろうそくが下部吊り皿部とともに宙に浮いているかのようになるので、見る人に驚きと感動を与えることも可能となる。
【００１１】
さらに、正面側からは、疑似ろうそくへの電気配線が見えないので、より自然な炎の感覚を見る人に与えることができる。
【図面の簡単な説明】
【００１２】
【図１】本考案の安全灯明の側面図である。
【図２】図１の断面を示す図面（疑似ろうそくを除く）である。
【図３】上部吊り具の形状の例を示す図面である。
【図４】上部吊り具の断面の例を示す図面である。
【図５】下部吊り皿部を構成する受け皿の断面図である。
【図６】下部吊り皿部を構成する吊り皿の断面図である。
【図７】下部吊り皿部を構成する下錘球の底面図である。
【図８】図７のＢ−Ｂ’断面図である。
【図９】図７のＣ−Ｃ’断面図である。
【図１０】本考案の灯明の取り付け部分を示す図面である。
【図１１】本考案の灯明の正面図である。
【考案を実施するための形態】
【００１３】
以下、本考案の好ましい実施態様の一例を示す図面と共に、本考案を更に詳しく説明する。
【００１４】
図１は、本安全灯明の側面図であり、図２はその断面図である。図中、１は安全灯明、２は下部吊り皿部、３は保持部材、４は上部吊り具、５は止め具、６は吊り傘、７は疑似ろうそく、８ａ、８ｂは配線溝をそれぞれ示す。
【００１５】
本考案の灯明は、図１および図２に示すように、下部吊り皿部２と、上部吊り具４を、そのアームが一方側に突出した保持部材３で結合したものである。
【００１６】
本考案において用いられる保持部材３は、そのアームが一方に突出していることが必要である。この保持部材３の形状は、図１に示すようなＣ字型、あるいはこれを変形した形状であっても良く、また、「コ」の字型あるいはこれを変形した形状であっても良い。
【００１７】
更に、この保持部材３は、後記する上部吊り具４との結合様式からみて板状であることとが望ましいが、これに限らず、後記する配線溝８ｂが形成可能で、その先端部を挟み込み可能な形状とすれば、丸棒、角棒状の形態であっても使用可能である。また、この保持部材３の断面は、長方形、台形、上辺が丸くなった台形等、その外側端面に配線溝８ｂがもうけやすい形状であることが好ましいが、上記のような円形、正方形であっても良い。更にまた、保持部材３として板状物を使用した場合、この板状物の幅は、同一であっても、また徐々に広がったり、狭まったりと変化しても良く、必要に応じてこの板状物中に何らかの形状を彫り込んだり、透かし彫りとしても良い。
【００１８】
本考案の好ましい使用形態は、保持部材３の突出部（突出側）を背面側とすることで、これを正面からは見えにくくするのであるが、そのためには、保持部材３の突出側端面に、配線溝８ｂを設け、このなかに配線（図示せず）を隠すことが必要である。この配線溝８ｂは、保持部材３の上部吊り具４と結合する部分から、下部吊り皿２と結合する部分まで、連続して設ける必要がある。こうすることで、下部吊り皿２中の疑似ろうそく７への配線を見る人に意識させることがない。
【００１９】
本態様での上部吊り具４と保持部材３の結合は、上部吊り具４の下端に保持部材３を挟み込んだ後、止め具５で固定することでおこわれる。より詳しくは、上部吊り具４の下端近傍に保持部材３の幅に対応させた挟み込み部１１と、その下にねじ部１２を設け、挟み込み部１１に保持部材３を挟み込んだ後、これを止め具５の内面に設けられたねじと、ねじ部１２でねじ止めし、締め付けることで固定される。
【００２０】
上記上部吊り具４には、保持部材３の配線溝８ｂと対応する側に、下端部付近から上端部付近まで配線溝８ａが設けられている。この配線溝８ａは、図３に示すように挟み込み部１１の切り欠き方向に沿って軸方向に上に伸びているため、図２で示すように前記保持部材３の突出側端部に設けられた配線溝８ｂとつながり、配線を外部に出すことなく上部の電源へと導くことができる。なお、この上部吊り具４には、保持筒１８等を設け、吊笠６等の装飾用部品を取り付けても良い。
【００２１】
一方、本態様での下部吊り皿２と保持部材３の結合は、上部吊り具４の下端に、保持部材３を挟み込む等した後、公知方法で固定することでおこわれる。具体的に図１に示す態様では、下部吊り皿２は、図５で示す受け皿２ｃ、図６で示す吊り皿２ｂおよび図７〜９で示される下錘球２ａで形成されるが、このうち、下錘球２ｃに設けられた差し込み部１０に保持部材３の下端を挿入し、固定することで下部吊り皿２と保持部材３の結合がおこなわれる。また、保持部材３の突出側端部に設けられた配線溝８ｂからの配線は、同じく下錘球２ａに設けられた配線溝８ｃを通じて内部に導入され、疑似ろうそく７と結合される。
【００２２】
本考案において、疑似ろうそく７は下部吊り皿２に設けられた空間に収納され、吊り皿２ｂに設けられた保持リング９で保持される。この疑似ろうそく７は、既に公知のものであるが、ろうそくを摸した本体筒７ｂ中に設けた揺動装置（図示せず）により炎片７ａを揺動しつつ光源（図示せず）から光を当てるもので、炎の自然な揺らぎ感が得られ、あたかも実際の炎を用いてるかの如き外観を得るものである（図１では、側面方向からみているので、炎片は、平たい板または布状に見える）。
【００２３】
本考案においては、この下部吊り皿２の外観は、疑似ろうそく７の明かりと共に見る人の注意を最も引く部分である。従って、この部分は、種々の形とすることができる。すなわち、本態様のような皿状あるいはこれを組みあわせた形態であってもよいが、この変形や、雲形、蓮の花形等需用者の希望に応じた形態とすることができる。
【００２４】
本考案の安全灯明１を構成する材料としては、種々のものを使用することができるが、保持部材３が一方に凸の形状をしていることから、あまり重い材料で作成すると、バランスが崩れ、下部吊り皿２が斜めになってしまうおそれもある。そこで、一般には、アルミニウム等の軽い金属や、プラスチック材料を使用することが好ましい。プラスチック材料を使用した場合は、その表面を、金属めっき等で被覆、あるいは塗料で塗装することが望ましい。
【００２５】
かくして得られる本考案の安全灯明は、例えば、図１０に示すような取り付け手段により天井等に取り付けることができる。この態様では、天井部分１５に穴を開け、ここから保持基板１４に取り付けられた雄ねじ１３を、上部吊り具４の上端に設けられた雌ねじ１６にねじ込み、その後ナット１７等で動かないように止める。なお、保持基板１４は天井部分１５に公知手段で固定されるので、これにより最終的に灯明の高さや位置を決め、固定することができる。
【００２６】
以上のように製作される安全灯明１は、保持部材３の突出部を背面方向とすることで、図３にみられるような形態となる。この図面から理解されるように、正面からみた場合、保持部材３は細く見にくくなり、逆に疑似ろうそく７の炎片７ａが大きく、しかも光を浴びた状態で見えるので、目立つものとなる。
【００２７】
そして例えば、仏壇、納骨壇等の内部を金塗装とし、保持部材３の仕上げも金外観とすれば、より保持部材３が見えにくくなり、あたかも疑似ろうそく７が下部吊り皿２とともに宙に浮いているかのように見えることとなる。同様、仏壇等の内部が紫檀様であれば、保持部材３を焦げ茶色等、紫檀と類似した色にすることでやはり、保持部材３は目立たなくなる。
【００２８】
しかも、疑似ろうそく７に電気を供給する配線は、安全灯明１の正面側からはみることのできない配線溝８ａ、８ｂおよび８ｃを通るので、より自然な炎の感覚を見る人に与えることができるものである。
【符号の説明】
【００２９】
１ … … 安全灯明
２ … … 下部吊り皿部
２ａ … 下錘球
２ｂ … 吊り皿
２ｃ … 受け皿
３ … … 保持部材
４ … … 上部吊り具
５ … … 止め具
６ … … 吊り傘
７ … … 疑似ろうそく
７ａ … 炎片
７ｂ … 本体筒
８ａ、８ｂ … … 配線溝
９ … … 保持リング
１０ … … 差し込み部
１１ … … 挟み込み部
１２ … … ねじ部
１３ … … 雄ねじ
１４ … … 保持基板
１５ … … 天井部分
１６ … … 雌ねじ
１７ … … ナット
【図１】
0003191225.tif 000003
【図２】
0003191225.tif 000004
【図３】
0003191225.tif 000005
【図４】
0003191225.tif 000006
【図５】
0003191225.tif 000007
【図６】
0003191225.tif 000008
【図７】
0003191225.tif 000009
【図８】
0003191225.tif 000010
【図９】
0003191225.tif 000011
【図１０】
0003191225.tif 000012
【図１１】
0003191225.tif 000013